(57)【要約】【課題】簡単なロック構造にて、椅子の使用状態と折り畳んで不使用の状態の両方のロックが可能である折り畳んだ状態で自立可能な折り畳み椅子の提供を目的とする。【解決手段】椅子の使用時に、左右一対の前脚と左右一対の後脚とで座部を支持し、座部の後縁側を上方に回動し、且つ、前後の脚部の先端部の距離が所定の距離まで相互に接近することで、折り畳み及び自立可能な折り畳み椅子であって、前記座部の使用状態と折り畳み状態の両方においてロック可能であることを特徴とする。【選択図】  図４
2013172878.tif 000002
【特許請求の範囲】
【請求項１】
椅子の使用時に、左右一対の前脚と左右一対の後脚とで座部を支持し、
座部の後縁側を上方に回動し、且つ、前後の脚部の先端部の距離が所定の距離まで相互に接近することで、折り畳み及び自立可能な折り畳み椅子であって、
前記座部の使用状態と折り畳み状態の両方においてロック可能であることを特徴とする折り畳み椅子。
【請求項２】
前記前脚と後脚とは、上下方向の途中部で相互に枢着してあり、
前記座部は前側の裏面部で後脚の上部に枢着してあり、
左右一対の前脚は上部側を座部の後側上方に延在させて設けた、背もたれ部を有し、
前記座部は後側の裏面部に使用状態及び折り畳み状態のそれぞれの状態をロックするロック手段を有することを特徴とする請求項１記載の折り畳み椅子。
【請求項３】
前記ロック手段は、座部の裏面側であって前後方向に弾性付勢されたロック部材と、前脚側にそれぞれ設けた座部の使用時に前記ロック部材と係合するための使用ロック部及び座部の折り畳み時に前記ロック部材に係合するための折り畳みロック部とからなることを特徴とする請求項２記載の折り畳み椅子。
【請求項４】
前記弾性付勢されたロック部材は使用ロック爪と折り畳みロック爪とからなり、
前記使用ロック爪は座部の使用時に前記前脚側の使用ロック部と係合し、前記折り畳みロック爪は座部の折り畳み時に前記折り畳みロック部と係合することを特徴とする請求項３記載の折り畳み椅子。
【請求項５】
前記使用ロック爪及び折り畳みロック爪の係合を解除するための操作部が共通していることを特徴とする請求項４記載の折り畳み椅子。
【請求項６】
前記座部は略中央部に上下方向に貫通した開口部を有し、前記操作部は開口部から片手で操作可能になっていることを特徴とする請求項５記載の折り畳み椅子。
【請求項７】
前記折り畳みロック部は、前記背もたれ部の上端部に形成したことを特徴とする請求項３〜６のいずれかに記載の折り畳み椅子。
【請求項８】
ロック手段の操作と折り畳み及び展開操作を片手で連続的に行うことを可能にしたことを特徴とする請求項２〜７のいずれかに記載の折り畳み椅子。
【発明の詳細な説明】
【技術分野】
【０００１】
本発明は折り畳み椅子に関し、特に折り畳んだ状態で自立可能な折り畳み椅子に係る。
【背景技術】
【０００２】
椅子を使用しない時に折り畳んでコンパクト化できるものが知られている。
例えば特許文献１，２に病人、老人、身体障害者等が入浴やシャワーをする際に、腰掛けて使用する折り畳み椅子を開示する。
しかし、これらに開示する折り畳み椅子は座部を上方に回動させて折り畳むものではあるが、座部を水平状態にした使用時には、この水平状態を保持するためのロック装置を有するものの、折り畳んだ状態ではその状態をロックするためのロック機構が不充分であり、安定性に欠けている。
【先行技術文献】
【特許文献】
【０００３】
【特許文献１】特開２００８−２２９３１０号公報
【特許文献２】特開２０１１−６７４４８号公報
【発明の概要】
【発明が解決しようとする課題】
【０００４】
本発明は簡単なロック構造にて、椅子の使用状態と折り畳んだ不使用の状態の両方のロックが可能であり、且つ折り畳んだ状態で自立可能な折り畳み椅子の提供を目的とする。
折り畳み椅子は不使用時にコンパクト化できるので省スペース化に有効であり、集会場や会議室等に備える椅子にも有効であるが、さらに、浴室等に使用する椅子にあっては、湯水等を使用する環境を考慮する必要がある。
そこで本発明者は、ロック構造が簡単で使用状態と折り畳んだ状態の保持性に優れる構造を精意検討した結果、本発明に至った。
【課題を解決するための手段】
【０００５】
本発明に係る折り畳み椅子は、使用時に、左右一対の前脚と左右一対の後脚とで座部を支持し、座部の後縁側を上方に回動し、且つ、前後の脚部の先端部の距離が所定の距離まで相互に接近することで、折り畳み及び自立可能な折り畳み椅子であって、前記座部の使用状態と折り畳み状態の両方においてロック可能であることを特徴とする。
【０００６】
本発明で、前記前脚と後脚とは、上下方向の途中部で相互に枢着してあり、前記座部は前側の裏面部で後脚の上部に枢着してあり、左右一対の前脚は上部側を座部の後側上方に延在させて設けた、背もたれ部を有し、前記座部は後側の裏面部に使用状態及び折り畳み状態のそれぞれの状態をロックするロック手段を有するようにするのが好ましい。
本発明に係る折り畳み椅子は、集会場、会議室等の各種会場に使用することができる。
その中でも、浴室等において使用するのに好適である。
【０００７】
座部の前側の裏面部を後脚の上部に枢着し、折り畳み時には座部の後縁を上方に起立するように回動し、折り畳めるようにすると、座部の表面が椅子の前側から見えるように折り畳むことができ、折り畳んだ状態で座部の表面の清浄ができる。
【０００８】
本発明は、左右一対の前脚と左右一対の後脚とが左右それぞれの途中部で相互に回動するように枢着されていることで折り畳むことができるものであれば、前脚及び後脚の形状に制限はない。
例えば、前脚と後脚とが略Ｘ字状にクロスさせたもの、あるいは前脚が途中から座部の底部又は側部に沿って後方へ屈曲したもの、さらには後脚が途中から座部の底部又は側部に沿って前方へ屈曲したものも本発明に含まれる。
【０００９】
本発明で、ロック手段は、座部の裏面側であって前後方向に弾性付勢されたロック部材と、前脚側にそれぞれ設けた座部の使用時に前記ロック部材と係合するための使用ロック部及び座部の折り畳み時に前記ロック部材に係合するための折り畳みロック部とで構成しても良い。
このようにすると、座部の裏面側に設けたロック部材が、座部を展開した椅子の使用時に前脚側の使用ロック部と係合し、椅子を折り畳んだ際には、前脚側の折り畳みロック部と係合し、椅子の両方の状態でそれぞれロックできる。
この場合に、座部の裏面側に弾性付勢されたロック部材は使用ロック爪と折り畳みロック爪とからなり、使用ロック爪は座部の使用時に前記前脚側の使用ロック部と係合し、前記折り畳みロック爪は座部の折り畳み時に前記折り畳みロック部と係合するようにしても良い。
また、使用ロック爪及び折り畳みロック爪の係合を解除するための操作部が共通していてもよい。
この場合に折り畳みロック部を背もたれ部の上端部に設けてもよい。
さらに、前記座部は略中央部に上下方向に貫通した開口部を有し、前記操作部は開口部から片手で操作可能になっていてもよい。
このようにすると、ロック装置が小型化でき、操作性にも優れ、コンパクトな折り畳み椅子となる。
また、ロック手段の操作と折り畳み及び展開操作を片手で連続的に行うことが可能になる。
【発明の効果】
【００１０】
本発明に係る折り畳み椅子は、使用状態と折り畳んだ不使用状態をロック装置で保持したので、その状態の保持安定性に優れる。
また、ロック装置の操作部を共通化すると、さらにコンパクトになる。
【図面の簡単な説明】
【００１１】
【図１】折り畳み椅子の使用状態を示す。（ａ）は正面図、（ｂ）は背面図を示す。
【図２】折り畳み椅子の使用状態の側面図を示す。
【図３】折り畳み椅子の使用状態を示す。（ａ）は平面図、（ｂ）は底面図を示す。
【図４】折り畳み椅子の使用状態を示す断面図である。
【図５】折り畳み椅子を折り畳んだ状態を示す断面図である。
【図６】折り畳み椅子の折り畳み手順を示す。
【図７】使用状態のＢ−Ｂ線断面図を示す。
【図８】折り畳み状態を示す。（ａ）は正面図、（ｂ）は背面図を示す。
【図９】折り畳み状態を示す。（ａ）は側面図、（ｂ）は平面図を示す。
【図１０】（ａ）はＣ−Ｃ線断面図を示し、（ｂ）はロック装置部分の拡大断面図を示す。
【図１１】（ａ）はＤ−Ｄ線断面図を示し、（ｂ）はそのロック装置部の部分拡大図を示す。
【発明を実施するための形態】
【００１２】
本発明に係る折り畳み椅子の構造例を以下図面に基づいて説明するが、本発明はこれに限定されるものではない。
【００１３】
図１〜３に折り畳み椅子１０を使用状態に展開した状態を示し、図４に折り畳み椅子１０の座部１３を略水平に保持した使用状態のＡ−Ａ線断面図を示し、図２に座部１３の後縁側を上方に回動し、座部１３の表面１３ａが椅子の前側に向くように折り畳んだ状態の断面図を示す。
折り畳み椅子１０は正面図を図１（ａ），背面図を図１（ｂ）に示すように左右一対の前脚１１の上部を背もたれ部１１ａにて連結した略逆Ｕ字形状のパイプフレーム形状になっている。
一方、図７にＢ−Ｂ線断面図を示すように左右一対の後脚１２の上部を座部１３の裏面側であって、相対的に前側に位置する部位にて左右に架け渡したバー部材１６を介して、この座部１３に軸着（枢着）１２ａしてある。
前脚１１と後脚１２は、枢着部１４にて枢着回動するように略Ｘ字状にクロスしている。
本実施例では、このように側面視で前脚１１と後脚１２とが略Ｘ字状にクロス（交差）させた例になっているが、前脚１１と後脚１２とがそれらの途中部で交差するように枢着されていれば、この略Ｘ字形状に限定されるものではない。
また、枢着部１４は図７に示すように、枢着ピン１４ａを用いて相互に回動可能に連結してある。
座部１３の裏面側の相対的後側にフック形状の使用ロック爪２２と、フック形状の折り畳みロック爪２３を一体的に形成したロック装置２０を取り付けてある。
なお、共通の操作部２１で解除操作ができれば、使用ロック爪２２と折り畳みロック爪２３を別体で形成してもよい。
使用状態では、左右の前脚１１の枢着部１４より上方に位置し、座部１３が概ね水平状態になるように架け渡したロックバーからなる使用ロック部１５に使用ロック爪２２が係合する。
使用状態で、座部１３の後部側を支持するための、左右の前脚の固定部１１ｂ間に架け渡したバー部材を、使用状態を保持するためのロックバー（使用ロック部１５）として使用したので、ロック構造が簡単になる。
使用ロック部（ロックバー）１５は、図１０（ａ）及び図１１（ａ）がわかりやすい。
折り畳み状態では、図２に示すようにロック装置２０の折り畳みロック爪２３が、前脚１１の上端の背もたれ部１１ａを兼ねた折り畳みロック部１１ａに係合する。
このように、パイプフレーム略逆Ｕ字形状に折り曲げ形成した背もたれ部１１ａに、折り畳み持のロックバーとしての機能を付与したので、新たにロック部を設ける必要が無い分だけロック装置の構造が簡単になる。
【００１４】
ロック装置２０は、図１０及び図１１に示すように座部１３の略中央部に形成した表裏に貫通した開口部１３ｂの内側に操作部２１が臨むように配置してある。
座部１３の裏面から下方に向けて、左右一対の係止爪１３ｅを突出させるとともにスプリング２５の一端を固定するスプリング押え部１３ｆを突出させてある。
これに対して、内側にスプリング２５の他端を取付部２４ａにて固定したケース体２４を上記左右の係止爪１３ｅの間に配置し、下側からカバー２６にてスライド保持してある。
カバー２６は、左右に係止孔２６ａを形成し、ケース体２４を下側から支持するように座部側に形成した係止爪１３ｅに係止することで、ケース体２４が前後方向にスライド可能である。
ケース体２４の前側に操作部２１を形成したことにより、この操作部２１はケース体２４の内部に取りつけたスプリング２５により前側に突出する方向に付勢されている。
これにより、図６（ａ）に示すように椅子の使用状態にて開口部１３ｂに指を入れ、矢印の方向に押すと、図６（ｂ）に示すように使用ロック爪２２が使用ロック部（ロックバー）１５から外れ、図６（ｃ）に示すように座部１３の後縁を起立方向に回動させることができる。
なお、座部１３の側部には、椅子の使用時にロックバー（１５）が納まる凹部１３ｄを有する。
次に前脚１１の先端１１ｃと後脚１２の先端１２ｂとが近づくように折り畳み、ロック装置の折り畳みロック爪２３を背もたれ部１１ａに位置させ、操作部２１から指を離すとスプリング２５の復元力にて、この折り畳みロック爪２３が背もたれ部１１ａに係合する。
これにより、前脚１１の先端部１１ｃと後脚１２の先端部１２ｂとの間隔がロック装置により定まり、この状態が保持されるので安定して自立する。
従って、ロック装置２０の操作と椅子の折り畳み操作が片手で連続的にできる。
また、本実施例では前脚１１と後脚１２の先端部に滑りにくいゴムや樹脂からなるキャップを取りつけてある。
図１０に示すように操作部２１は、座部側に設けたストッパー１３ｃに当接することで突出量が規制されている。
座部１３の略中央部に貫通した開口部１３ｂを形成したことにより、浴室で人が座り、体を洗ったり、シャワーを浴びる際に、座部１３の中央部を人が腰掛けやすいように凹ませた場合でも湯水がこの開口部１３ｂから流れる。
また、このような中央の開口部内側にロック装置２０の操作部２１を設けたので、不本意に手や体等が当たりロックが解除になるのを防止する。
【００１５】
本実施例では、椅子の使用状態である前脚１１と後脚１２とが開脚状態で安定するように、左右の前脚１１であって枢着部１４より下方に位置する連結部１１ｄ間を連結バー１８で連結し、後脚１２にも同様に、連結部１２ｃ間に連結バー１７を取り付け、一端３２ａをこの連結バー１８に枢着したリンク３２と、一端３１ａを連結バー１７に枢着したリンク３１とを中央側で所定の角度以上に開かないように枢着３３した開脚連結具３０を左右一対に取り付けた例になっている。
本発明は座部の使用状態と折り畳み状態の両方においてロック可能であれば、本実施例に限定されるものではなく、ロック手段として、座部の裏面側に弾性付勢されたロック部材と、前脚側にそれぞれ設けた座部の使用時に前記ロック部材と係合するための使用ロック部及び座部の折り畳み時に前記ロック部材に係合するための折り畳みロック部とからなる形態等も含まれる。
【符号の説明】
【００１６】
１０      折り畳み椅子
１１      前脚
１１ａ    背もたれ部（折り畳みロック部）
１２      後脚
１３      座部
１３ａ    表面
１３ｂ    開口部
１４      枢着部
１５      使用ロック部
２０      ロック装置
２１      操作部
２２      使用ロック爪
２３      折り畳みロック爪
３０      開脚連結具
【図１】
2013172878.tif 000003
【図２】
2013172878.tif 000004
【図３】
2013172878.tif 000005
【図４】
2013172878.tif 000006
【図５】
2013172878.tif 000007
【図６】
2013172878.tif 000008
【図７】
2013172878.tif 000009
【図８】
2013172878.tif 000010
【図９】
2013172878.tif 000011
【図１０】
2013172878.tif 000012
【図１１】
2013172878.tif 000013